(57)【特許請求の範囲】
【請求項１】
主幹ブレーカと、該主幹ブレーカと電気的に接続された複数の分岐ブレーカとを基台に配設し、該基台を分電盤カバーにより被覆した住宅用分電盤において、前記分電盤カバーの下端部に前記主幹ブレーカ及び前記分岐ブレーカのオン・オフに連動して上下方向にスライドするハンドルを設けたことを特徴とする住宅用分電盤。
【請求項２】
前記ブレーカがオフの際に前記ブレーカと対応する前記ハンドルの一端部が前記分電盤カバーの下端部から下方に突出し、遮断表示部により前記ブレーカのオフを表示することを特徴とする請求項１に記載の住宅用分電盤。
【請求項３】
前記ハンドルの表面に前記ブレーカと対応する負荷名称を表示したことを特徴とする請求項１又は請求項２に記載の住宅用分電盤。
【発明の詳細な説明】
【０００１】
【産業上の利用分野】
本発明は、住宅用分電盤の主幹ブレーカと分岐ブレーカを容易に操作するための構造に関する。
【０００２】
【従来の技術】
従来、図５及び図６に示すように住宅用分電盤１１は、主幹ブレーカ１２と、この主幹ブレーカ１２と電気的に接続された複数の分岐ブレーカ１３とを基台１４に配設し、基台１４を分電盤カバー１５で被覆している。分電盤カバー１５は主幹ブレーカ１２と対向する位置に開口１６が形成され、開口１６から主幹ブレーカ１２の操作ハンドル１２ａを突出し、分岐ブレーカ１３と対向する位置に操作孔１７が穿設され、操作孔１７から分岐ブレーカ１３の操作ハンドル１３ａを突出させている。ブレーカ１２，１３をオン・オフするにはこれらの操作ハンドル１２ａ，１３ａを操作することにより行う。また、ブレーカ１２，１３のオン・オフの状態を確認するには、操作ハンドル１２ａ，１３ａの向きや操作ハンドル１２ａ，１３ａに記した表示を視認することにより行う。分岐ブレーカ１３の操作ハンドル１３ａの近傍の負荷名称表示部１８には分岐ブレーカ１３の遮断時に遮断回路が分かるように分岐ブレーカ１３に対応した負荷の名称が記入されている。
【０００３】
【発明が解決しようとする課題】
住宅用分電盤１１は、壁面の高所に設置されることが多いため、踏み台等の上に乗らなければブレーカ１２，１３を操作できない場合があり、わざわざ踏み台を準備するのは面倒であった。また、住宅用分電盤１１が高所に設置されていると操作ハンドル１２ａ，１３ａの表示が見づらく、操作ハンドル１２ａ，１３ａの向きも分かりづらいのでブレーカ１２，１３のオン・オフの状態を確認しづらかった。
【０００４】
【課題を解決するための手段】
上記従来の住宅用分電盤の問題点に鑑み、本発明の目的は、住宅用分電盤が高所に設置された場合でもブレーカのオフとその遮断回路を一目で確認することができ、踏み台等を使用しなくてもブレーカの操作ができる住宅用分電盤を提供するもので、その構造は、主幹ブレーカと、この主幹ブレーカと電気的に接続された複数の分岐ブレーカとを基台に配設し、基台を分電盤カバーにより被覆した住宅用分電盤において、分電盤カバーの下端部に主幹ブレーカ及び分岐ブレーカのオン・オフに連動して上下方向にスライドするハンドルを設けたことである。
【０００５】
また、ブレーカがオフの際にブレーカと対応するハンドルの一端部が分電盤カバーの下端部から下方に突出し、遮断表示部によりブレーカのオフを表示することである。
【０００６】
また、ハンドルの表面にブレーカと対応する負荷名称を表示したことである。
【０００７】
【発明の実施の形態】
請求項１に記載の住宅用分電盤によれば、主幹ブレーカと、この主幹ブレーカと電気的に接続された複数の分岐ブレーカとを基台に配設し、基台を分電盤カバーにより被覆した住宅用分電盤において、分電盤カバーの下端部に主幹ブレーカ及び分岐ブレーカのオン・オフに連動して上下方向にスライドするハンドルを設けたことにより、踏み台等を使用しなくてもブレーカの操作ができる。
【０００８】
請求項２に記載の住宅用分電盤によれば、ブレーカがオフの際にブレーカと対応するハンドルの一端部が分電盤カバーの下端部から下方に突出し、遮断表示部によりブレーカのオフを表示することにより、ブレーカのオフを一目で確認することができる。
【０００９】
請求項３に記載の住宅用分電盤によれば、ハンドルの表面にブレーカと対応する負荷名称を表示したことにより、遮断回路を一目で確認することができる。
【００１０】
【実施例】
本発明に係る住宅用分電盤の構造の一実施例を図１〜図４の添付図面に基づいて説明する。
【００１１】
住宅用分電盤１は、主幹ブレーカ（図示せず）と、この主幹ブレーカと電気的に接続された複数の分岐ブレーカ２とを基台３に配設し、基台３を分電盤カバー４で被覆している。分電盤カバー４の下端部には分電盤カバー４のコーナー形状に一致するように形成された略Ｌ字状のハンドル５が並設され、夫々のハンドル５は上下方向にスライド可能に分電盤カバー４に設けられている。
【００１２】
ハンドル５の上部は、ブレーカ２のオンの際に分電盤カバー４の裏側に隠れるように延設され、ブレーカ２のオフが文字や色で表示された遮断表示部６が形成されている。この遮断表示部６の上端部には、連結棒７の一端が回動自在に結合され、連結棒７の他端は基台３に配設されたブレーカ２の操作ハンドル２ａの先端部に結合され、ブレーカ２のオン・オフに連動してハンドル５が上下方向にスライドするようになっている。ブレーカ２がオフすると、そのブレーカ２と対応するハンドル５が下方にスライドして一端部が分電盤カバー４の下端部から下方に突出するとともに、遮断表示部６によりブレーカ２のオフを表示する。これにより、ブレーカ２のオフを一目で確認することができる。尚、分岐ブレーカ２が基台３に上下２列に配設されている場合は、分電盤カバー４の下端部に横一列に並設されたハンドル５に上側の分岐ブレーカ２と下側の分岐ブレーカ２とを交互に連結する。
【００１３】
分電盤カバー４のハンドル５の表面にはブレーカ２に接続された負荷の名称を記入する。これにより、ブレーカ２がオフになった場合でも、一目で遮断回路を確認することができる。
【００１４】
住宅用分電盤１は壁面の高所に設置されることが多いが、分電盤カバー４の下端部にブレーカ２のハンドル２ａに連動したハンドル５が設けられているので、踏み台等を使用しなくてもブレーカ２を操作することができる。
【００１５】
尚、本実施例において、ブレーカ２と分電盤カバー４のハンドル５との連結手段について限定はなく、本発明の趣旨を逸脱しない範囲で適宜変更可能である。
【００１６】
また、本実施例において、ハンドルは略Ｌ字状に形成されているが、ハンドルの形状について限定はない。
【００１７】
【発明の効果】
以上のように本発明に係る住宅用分電盤は、主幹ブレーカと、この主幹ブレーカと電気的に接続された複数の分岐ブレーカとを基台に配設し、基台を分電盤カバーにより被覆した住宅用分電盤において、分電盤カバーの下端部に主幹ブレーカ及び分岐ブレーカのオン・オフに連動して上下方向にスライドするハンドルを設けたことにより、住宅用分電盤の低い位置でブレーカを操作できるので踏み台等を使用しなくてもブレーカの操作ができるという優れた効果がある。
【００１８】
また、ブレーカがオフの際にブレーカと対応するハンドルの一端部が分電盤カバーの下端部から下方に突出し、遮断表示部によりブレーカのオフを表示することにより、ブレーカのオフを一目で確認することができるという優れた効果がある。
【００１９】
また、ハンドルの表面にブレーカと対応する負荷名称を表示したことにより、遮断回路を一目で確認することができるという優れた効果がある。
【図面の簡単な説明】
【図１】本発明に係る住宅用分電盤を示す正面図である。
【図２】本発明に係る住宅用分電盤のブレーカがオンの状態を示す要部断面図である。
【図３】本発明に係る住宅用分電盤のブレーカがオフの状態を示す要部断面図である。
【図４】本発明に係る住宅用分電盤の要部正面図である。
【図５】従来の住宅用分電盤を示す正面図である。
【図６】従来の住宅用分電盤を示す右側面図である。
【符号の説明】
１      住宅用分電盤
２      分岐ブレーカ
３      基台
４      分電盤カバー
５      ハンドル
６      遮断表示部
７      連結棒
【図１】
0004466937.tif 000002
【図２】
0004466937.tif 000003
【図３】
0004466937.tif 000004
【図４】
0004466937.tif 000005
【図５】
0004466937.tif 000006
【図６】
0004466937.tif 000007